(57)【要約】支持体（１）上に載置された、持ち運び可能なゴルフボール打撃練習装置であって、支持体（１）の上にはキャビネット（３）が取付具（２）によって取付けられており、キャビネット（３）には、ブレーキ（５）と、コード（６）と、制御案内棒（８）に連結するスイッチレバー（７）とを備えたリール（４）が収納されており、該リールには、電源（１１）及びディスプレイ（１２）を組み込んだ制御ユニット（１０）に接続するモーター（９）と、キャビネット（３）出口において制御ユニット（１０）に接続する感知ユニット（１１）を通過するコード（６）と、コード（６）端末で回転自在に取付けられたボール（１４）とが備え付けられている。
2004523333.tif 000002
【特許請求の範囲】
【請求項１】
持ち運び可能なゴルフボール打撃練習装置であって、該装置は支持体（１）上に載置されており、支持体（１）の上にはキャビネット（３）が取付具（２）によって取付けられており、キャビネット（３）には、ブレーキ（５）と、コード（６）と、制御案内棒（８）に連結するスイッチレバー（７）とを備えたリール（４）が収納されており、該リールには、電源（１１）及びディスプレイ（１２）を組み込んだ制御ユニット（１０）に接続するモーター（９）と、キャビネット（３）出口において、制御ユニット（１０）に接続している感知ユニット（１３）を通過するコード（６）と、コード（６）端末で回転自在に取付けられたボール（１４）とが備え付けられているゴルフボール打撃練習装置。
【請求項２】
ボール（１４）が、コード（６）が潜り抜けるスリーブ（１５）を有し、そのコード（６）は、スリーブ（１５）の径より大きい径を有する球状止め具（１６）で端末を形成していることを特徴とする請求項１記載の持ち運び可能なゴルフボール打撃練習装置。
【請求項３】
リール（６）のモーター（９）の制御に、直接制御具（１７）が装備されていることを特徴とする請求項１記載の持ち運び可能なゴルフボール打撃練習装置。
【請求項４】
取付具（２）が、上部表面に水準器（１８）を備えたキャビネット（３）と結合するボールジョイントである請求項１記載の持ち運び可能なゴルフボール打撃練習装置。
【発明の詳細な説明】
【技術分野】
【０００１】
本発明は、ゴルフコース外では勿論のこと、種々の地形の限られたスペースにおいてゴルフボールの打撃練習を行なうのに設計された、自動返球機能を有する持ち運び可能な装置に関する。
【背景技術】
【０００２】
現在、ゴルフボール打撃の練習や講習の方法においては、ゴルフコース外での一般的な設備を用いた単純なゴルフショットの練習が許容されているだけであり、練習の程度が限られており、またその効率も低い。経済的理由から、ふさわしくないような物性を有する練習ボールが使用されており、打ち放った後は、再使用するために探し出して集めなければならない。このような方法に時間的、物的ロスがあることは明らかである。加えて、複雑な競技局面は、長打領域外のゴルフコースにおいて直接練習されねばならず、これは素人にとって容易ではないのに、上記方法においては別の打撃練習ができるだけである。
【発明の開示】
【発明が解決しようとする課題】
【０００３】
従来知られているゴルフボール打撃練習方法における上記欠点や不利益は、本発明による持ち運び可能なゴルフボール打撃練習装置によって解消される。
【課題を解決するための手段】
【０００４】
本発明の特徴は、次のように述べることができる。本装置は支持体上に載置されており、支持体の上にはキャビネットが取付具によって取付けられている。キャビネットには、ブレーキと、コードと、制御案内棒に連結するスイッチレバーとを備えたリールが収納されている。該リールには、電源及びディスプレイを組み込んだ制御ユニットに接続するモーターと、キャビネット出口において、制御ユニットに接続している感知ユニットを通過するコードと、コード端末で回転自在に取付けられたボールとが備えられている。
【０００５】
本発明のゴルフボール打撃練習装置には、好ましくはスリーブを有するボールを備えており、スリーブ内径よりも大きい径を有する球状止め具を端末に持つコードがそのスリーブを潜り抜けている。
【０００６】
本発明の装置におけるリールモーターの制御には、直接制御具あるいは遠隔制御具を装備することができる。
【０００７】
本発明の装置は、好ましくは、上部表面に水準器を備えたキャビネットと結合するボールジョイントにより支持体上に装着することができる。
【発明の効果】
【０００８】
本発明のゴルフボール打撃練習装置の主な利点は、制限された条件下で、様々の、適合性に欠けるようなあるいは水面のような公共的に利用できる地域においてさえも、ゴルフボール打撃練習ができることである。このことは、ゴルフゲーム講習における主たる難点、すなわち適切な練習条件や場所が得られないことや練習コストが高いことなどを解消させるものである。時間及び経済性の観点からの大きな利点は自動返球である。それゆえ相応の品質を有する標準的なゴルフボールを使用することができる。ボールの回転を許容するリールから解き放される最小断面のコードは、他に作用する力に関しては、ボールの飛行経路にほんの僅かに影響するのみである。現実の条件におけるボールの飛行曲線の表示は、本発明の装置における重要な利点である。使用者に対する主たる利点は、軽量であることと装置の操作が容易なことである。
【発明を実施するための最良の形態】
【０００９】
添付図１において、図示された装置は支持板１上に載置されており、その上にキャビネット３が取付具２（ここではボールジョイント）によって取付けられている。キャビネット３にはブレーキ５、コード６及びスイッチレバー７を備えたリール４が収納されている。使えるようにするためにスイッチレバー７は制御案内棒８と連結されている。コード６の巻き上げを可能とするようにリール４には、電源１１及びディスプレイ１２を備えた制御ユニット１０に接続するモーター９が装備されている。キャビネット３の出口においてコード６は、制御ユニット１０に接続している感知ユニット１３を通過する。コード６の先端において、ボール１４は回転できるように取付けられている。そのボールはスリーブ１５を有しており、コード６がそこを潜りぬけてスリーブ１５の内径よりも大きい径を有する球状止め具１６による端末を形成している。リール４のモーター９の制御につながる制御具１７は、ボール１４の返球の手動制御を行う役割を果たすものである。直接制御具１７は制御案内棒８に連結することができる。キャビネット３の上部表面には水準器１８が備え付けられている。
【００１０】
ボール１４の打撃においてはまた、ボール１４の飛行の間リール４から解き放されたコード６とともに動くようにセットされている。その解き放しは、制御案内棒８を左から（図１において実線で示されている）右（破線で示されている）に動かし、対応するスイッチレバー７の位置変化を起こさせることによって可能となる。しかしながらボールの打撃前になされる制御案内棒８の左への戻しは、スイッチレバー７の位置変化なしで行なわれる。感知ユニット１３を通過するコード６の動きは、制御ユニット１０を経由してモーター９を作動させ、リール４を動かす。設定距離（ボール１４の飛行経路）（コード６の解き放し部の長さ）に達したときに、制御ユニット１０は、ずれによるコードの破断を防止するためにコード６の強度に設定すること可能なブレーキ５を作動させる。ボール１４が止まった後に制御ユニット１０はブレーキ５を解除させ、モーター９によってスイッチレバー７の位置を変え、リール４へのコード６の巻き上げを開始させる。これによりボール１４の制御案内棒８への自動返球を起こさせ、制御案内棒８はその位置を右へ動かし（図１に示す破線で描かれている）、ボール１４が最終位置に達し、同時にスイッチレバー７を用いて次の打撃のために巻き上げたコード６を有するリール４を解除するときに、モーター９のスイッチを切る。制御案内棒８は、スイッチレバー７の戻りの動きを起こすことなく左へ位置を戻される（図１の実線で示されている）。スイッチレバーの戻りの動きは、リール４にコード６を新たに巻上げる前だけ、制御ユニット１０によって開始される。
【００１１】
感知ユニット１３はコード６の動きを記録し、得られたパラメーターに基づき、制御ユニット１０は、実際の条件、すなわち縮小していない飛行経路におけるボール１４の予想飛行距離を決定する。そして選択されるゴルフクラブの番号と種類に関連する打撃の統計を含んだボール１４の上記飛行経路が、練習装置のディスプレイ１２上に表示される。さらにまた制御ユニット１０は、測定と評価データから、使用されるソフトウェアに基づきボール１４の速度推移や他の上述した標準的な情報のような興味ある追加情報を得る。また、使用するソフトウェアによっては、コード６が完全に巻き上げられた後のボール１４の最終位置は、巻上げを早目に終了したり、ボール１４を直接次の打撃位置に置いたりすることによって変えることができる。
【図面の簡単な説明】
【００１２】
【図１】本発明の打撃練習装置の立面図である。
【図２】コード及びスリーブを備えたボールの断面見取り図である。
【図１】
2004523333.tif 000003
【図２】
2004523333.tif 000004
【国際公開パンフレット】
2004523333.tif 000005
2004523333.tif 000006
2004523333.tif 000007
2004523333.tif 000008
2004523333.tif 000009
2004523333.tif 000010
【手続補正書】
【提出日】平成15年9月3日(2003.9.3)
【手続補正１】
【補正対象書類名】特許請求の範囲
【補正対象項目名】全文
【補正方法】変更
【補正の内容】
【特許請求の範囲】
【請求項１】
モーター（９）と、ブレーキ（５）と、スイッチレバー（７）とを備えたリール（４）に巻き上げられた、感知ユニット（１３）を伴うコード（６）に取付けられたボール（１４）を装備した、持ち運び可能なゴルフボール打撃練習装置であって、キャビネット（３）はボールジョイント（２）によって支持板（１）上に調節して取り付けられており、前記キャビネット（３）の上部表面には好ましくは水準器（１８）が取付けられており、前記ボール（１４）は、ボールに設けたスリーブ（１５）を潜り抜けるコード（６）に回転自在に取付けられており、前記コード（６）は球状止め具（１６）によって端末を形成しており、前記ボール（１４）の経路や着地点、あるいは制御ユニット（１０）によって記録され又は評価されたボール速度やその他の打撃パラメターを表示するためのディスプレイ（１２）が電源（１１）と組み合わされた制御ユニット（１０）に接続されており、前記制御ユニットはボール（１４）の自動返球を確実にするためのものであり、前記リール（４）の前記スイッチレバー（７）には制御案内棒（８）が備えられており、前記リール（４）のモーター（９）の制御に直接制御具（１７）が装備されていることを特徴とするゴルフボール打撃練習装置。
【国際調査報告】
2004523333.tif 000011
2004523333.tif 000012
2004523333.tif 000013